(57)【要約】【課題】ダンパ装置の大型化を抑えつつ強度を向上したダンパ装置を得ることを目的とする。【解決手段】開口を有するフレームと、開口を開閉する開閉体と、この開閉体を駆動する駆動手段と、この駆動手段を収納してフレームと係合するケースと、を備えたダンパ装置であって、駆動手段は、モータと、このモータの出力を伝達するピニオンギヤと、このピニオンギヤとかみ合う減速歯車と、この減速歯車とかみ合い開閉体を駆動する出力ギヤと、を備え、ケースは直方体状であってこのケースの隅部にフレームと係合する第一の係合部，第二の係合部及び第三の係合部が設けられ、開閉体を閉じるように駆動手段を駆動した場合に、減速歯車に作用する力の延長上又は延長上付近に第四の係合部が設けられたことを特徴とする。【選択図】  図１３
2011058682.tif 000002
【特許請求の範囲】
【請求項１】
開口を有するフレームと、前記開口を開閉する開閉体と、該開閉体を駆動する駆動手段と、該駆動手段を収納して前記フレームと係合するケースと、を備えたダンパ装置において、
前記駆動手段は、モータと、該モータの出力を伝達するピニオンギヤと、該ピニオンギヤとかみ合う減速歯車と、該減速歯車とかみ合い前記開閉体を駆動する出力ギヤと、を備え、
前記ケースは直方体状であって該ケースの隅部に前記フレームと係合する第一の係合部，第二の係合部及び第三の係合部が設けられ、
前記開閉体を閉じるように前記駆動手段を駆動した場合に、前記減速歯車に作用する力の延長上又は延長上付近に第四の係合部が設けられたことを特徴とするダンパ装置。
【請求項２】
冷蔵庫本体に設けられた貯蔵室と、
該貯蔵室の後方に設けられ冷却器が設置された冷却器室と、
該冷却器室から前記貯蔵室へ冷気を送風する送風機と、
前記送風機で送風された冷気の前記貯蔵室への供給量を制御するダンパ装置と、を備えた冷蔵庫において、
前記ダンパ装置は、開口を有するフレームと、前記開口を開閉する開閉体と、該開閉体を駆動する駆動手段と、該駆動手段を収納して前記フレームと係合するケースと、を備え、
前記駆動手段は、モータと、該モータの出力を伝達するピニオンギヤと、該ピニオンギヤとかみ合う減速歯車と、該減速歯車とかみ合い前記開閉体を駆動する出力ギヤと、を備え、
前記ケースは直方体状であって該ケースの隅部に前記フレームと係合する第一の係合部，第二の係合部及び第三の係合部が設けられ、
前記開閉体を閉じるように前記駆動手段を駆動した場合に、前記減速歯車に作用する力の延長上又は延長上付近に第四の係合部が設けられたことを特徴とする冷蔵庫。
【発明の詳細な説明】
【技術分野】
【０００１】
本発明は、ダンパ装置及びダンパ装置を備えた冷蔵庫に関する。
【背景技術】
【０００２】
従来、冷蔵温度帯の貯蔵室と冷凍温度帯の貯蔵室を有し、冷却器によって熱交換された冷気を送風手段で各貯蔵室に送風する、いわゆる冷気強制循環方式の冷蔵庫において、各貯蔵室への冷気流量を制御するために、開閉式のダンパ装置を備え、該ダンパ装置を開閉制御する構成が知られている。
【０００３】
ダンパ装置に関わる従来の技術としては、以下に示す特許文献１及び２に記載の技術が知られている。
【０００４】
特許文献１には、開閉体（バッフル）が単一のいわゆるシングルダンパ装置において、駆動手段を収納するケースの四隅を、フレーム側に設けたネジボスに対してネジにて固定する構成が開示されている。
【０００５】
また、特許文献２には、開閉体（バッフル）が二つのいわゆるツインダンパ装置において、駆動手段を収納するケースの四隅を、フレーム側に設けたネジボスに対してネジにて固定する構成が開示されている。
【先行技術文献】
【特許文献】
【０００６】
【特許文献１】特開２００８−３０９４０８号公報
【特許文献２】特開２００７−２９２３８１号公報
【発明の概要】
【発明が解決しようとする課題】
【０００７】
冷蔵室の温度はおよそ３〜５℃、冷凍室はおよそ−１８℃と温度帯が異なる。
【０００８】
そのため、冷却器から冷蔵室や冷凍室に冷気ダクトを経由して冷気を分配する場合、冷気流量を切り替える必要がある。
【０００９】
そこで、開閉式の冷蔵室冷却用ダンパ装置と冷凍室冷却用ダンパ装置（以下、総称して「ダンパ装置」という）とを備え、それらを開閉制御して冷気流量を制御している。
【００１０】
特に、近年の冷蔵庫においては、省エネルギー性能が求められており、ダンパ装置の冷気漏れを抑制した形態とすることが望ましい。
【００１１】
一方、ダンパ装置は、冷蔵庫の使用期間であるおよそ１０年間で、約２０万回の開閉が行われる。駆動手段（ギヤ）及び当該駆動手段を収納するケース等には、ダンパ装置の開閉毎に負荷が繰り返しかかる。これによってフレームやケースが変形した場合、適切に開閉できずに冷気漏れが増大する。すると、必要な冷気を送風するための送風機（送風ファン）の消費電力が増大して、省エネルギー性能が低下するおそれがある。
【００１２】
また、フレームやケースに加わる繰り返し応力によって亀裂等が生じた場合、開閉動作が適切にできなくなるおそれがある。しかし、強度を向上させるためにフレームやケースの形状を大きくすると、貯蔵空間の容積減少を招く。
【００１３】
そこで、貯蔵空間の容積を減少させず、かつ省エネルギー性能を向上させるために、形状を大型化することなく、フレームやケースの強度を向上し、変形を抑える構成が望ましい。
【００１４】
上記従来の技術では、開閉体が閉じるときにギヤが受ける反力によって、ケースは捩じれ変形しやすくなる。また、ギヤのトルク伝達にロスが発生し、開閉体によるシール性が低下する、という課題があった。
【００１５】
そこで、本発明は、ダンパ装置の大型化を抑えつつ強度を向上したダンパ装置を得ることを目的とする。また、省エネルギー性能を向上したダンパ装置を備えた冷蔵庫を得ることを目的とする。
【課題を解決するための手段】
【００１６】
上記課題を解決するために、本発明に係るダンパ装置は、開口を有するフレームと、前記開口を開閉する開閉体と、該開閉体を駆動する駆動手段と、該駆動手段を収納して前記フレームと係合するケースと、を備えたダンパ装置において、前記駆動手段は、モータと、該モータの出力を伝達するピニオンギヤと、該ピニオンギヤとかみ合う減速歯車と、該減速歯車とかみ合い前記開閉体を駆動する出力ギヤと、を備え、前記ケースは直方体状であって該ケースの隅部に前記フレームと係合する第一の係合部，第二の係合部及び第三の係合部が設けられ、前記開閉体を閉じるように前記駆動手段を駆動した場合に、前記減速歯車に作用する力の延長上又は延長上付近に第四の係合部が設けられたことを特徴とする。
【００１７】
また、本発明に係る冷蔵庫は、冷蔵庫本体に設けられた貯蔵室と、該貯蔵室の後方に設けられ冷却器が設置された冷却器室と、該冷却器室から前記貯蔵室へ冷気を送風する送風機と、前記送風機で送風された冷気の前記貯蔵室への供給量を制御するダンパ装置と、を備えた冷蔵庫において、前記ダンパ装置は、開口を有するフレームと、前記開口を開閉する開閉体と、該開閉体を駆動する駆動手段と、該駆動手段を収納して前記フレームと係合するケースと、を備え、前記駆動手段は、モータと、該モータの出力を伝達するピニオンギヤと、該ピニオンギヤとかみ合う減速歯車と、該減速歯車とかみ合い前記開閉体を駆動する出力ギヤと、を備え、前記ケースは直方体状であって該ケースの隅部に前記フレームと係合する第一の係合部，第二の係合部及び第三の係合部が設けられ、
前記開閉体を閉じるように前記駆動手段を駆動した場合に、前記減速歯車に作用する力の延長上又は延長上付近に第四の係合部が設けられたことを特徴とする。
【発明の効果】
【００１８】
本発明は、ダンパ装置の大型化を抑えつつ強度を向上したダンパ装置を得ることができる。また、省エネルギー性能を向上したダンパ装置を備えた冷蔵庫を得ることができる。
【図面の簡単な説明】
【００１９】
【図１】本発明の実施形態に係る冷蔵庫の正面外形図である。
【図２】冷蔵庫の庫内の構成を表す図１のＸ−Ｘ断面図である。
【図３】冷蔵庫の庫内の構成を表す正面図である。
【図４】図２の要部拡大説明図である。
【図５】ダンパの全体構成を示す斜視図である。
【図６】ダンパの全体構成を示す斜視図である。
【図７】ダンパの構成を示す図５のＹ−Ｙ断面図である。
【図８】ダンパの駆動手段を図５の矢印Ｚ方向に見た概略図である。
【図９】ダンパの駆動手段を図５の矢印Ｚ方向に見た概略図である。
【図１０】ダンパの駆動手段を図５の矢印Ｚ方向に見た概略図である。
【図１１】ダンパの駆動手段を図５の矢印Ｚ方向に見た概略図である。
【図１２】従来のダンパ装置の駆動手段を示す概略図である。
【図１３】本発明の実施形態に係るフレームとケースの締結構成を示す概略図である。
【発明を実施するための形態】
【００２０】
以下、本発明の実施形態を、図面を参照しながら詳細に説明する。
【００２１】
図１は、本実施形態の冷蔵庫の正面外形図である。図２は、冷蔵庫の庫内の構成を表す図１におけるＸ−Ｘ縦断面図である。図３は、冷蔵庫の庫内の構成を表す正面図であり、図４は、図２の要部拡大説明図であり、冷気ダクトや吹き出し口の配置などを示す図である。
【００２２】
図１に示すように、本実施形態の冷蔵庫１は、上方から、冷蔵室２，製氷室３及び上段冷凍室４，下段冷凍室５，野菜室６を有する。一例として、冷蔵室２及び野菜室６は、およそ３〜５℃の冷蔵温度帯の貯蔵室である。また、製氷室３，上段冷凍室４及び下段冷凍室５は、およそ−１８℃の冷凍温度帯の貯蔵室である。
【００２３】
冷蔵室２は前方側に、左右に分割された観音開き（いわゆるフレンチ型）の冷蔵室扉２ａ，２ｂを備えている。製氷室３，上段冷凍室４，下段冷凍室５，野菜室６は、それぞれ引き出し式の製氷室扉３ａ，上段冷凍室扉４ａ，下段冷凍室扉５ａ，野菜室扉６ａを備えている。以下では、冷蔵室扉２ａ，２ｂ，製氷室扉３ａ，上段冷凍室扉４ａ，下段冷凍室扉５ａ，野菜室扉６ａを単に扉２ａ，２ｂ，３ａ，４ａ，５ａ，６ａと称する。
【００２４】
また、冷蔵庫１は、扉２ａ，２ｂ，３ａ，４ａ，５ａ，６ａの開閉状態をそれぞれ検知する扉センサ（図示なし）と、各扉が開放していると判定された状態が所定時間、例えば、１分間以上継続された場合に、使用者に報知するアラーム（図示なし）と、冷蔵室２の温度設定や上段冷凍室４や下段冷凍室５の温度設定をする温度設定器（図示なし）等を備えている。
【００２５】
図２に示すように、冷蔵庫１の庫外と庫内は、内箱１０ａと外箱１０ｂとの間に発泡断熱材（発泡ポリウレタン）を充填することにより形成される断熱箱体１０により隔てられている。また、冷蔵庫１の断熱箱体１０は複数の真空断熱材２５を実装している。
【００２６】
庫内は、断熱仕切壁２８により冷蔵室２と、上段冷凍室４及び製氷室３（図１参照，図２中で製氷室３は図示されていない）とが隔てられ、断熱仕切壁２９により、下段冷凍室５と野菜室６とが隔てられている。
【００２７】
扉２ａ，２ｂの庫内側には複数の扉ポケット３２が備えられている（図１，図２参照）。また、冷蔵室２は複数の棚３６により縦方向に複数の貯蔵スペースに区画されている。
【００２８】
図２に示すように、上段冷凍室４，下段冷凍室５及び野菜室６は、それぞれの室の前方に備えられた扉３ａ，４ａ，５ａ，６ａと一体に、収納容器３ｂ，４ｂ，５ｂ，６ｂがそれぞれ設けられている。そして、扉４ａ，５ａ，６ａの図示しない取手部に手を掛けて手前側に引き出すことにより、収納容器４ｂ，５ｂ，６ｂが引き出せるようになっている。
【００２９】
図１に示す製氷室３にも同様に、扉３ａと一体に、図示しない収納容器（図２中（３ｂ）で表示）が設けられ、扉３ａの図示しない取手部に手を掛けて手前側に引き出すことにより収納容器３ｂが引き出せるようになっている。
【００３０】
図２に示すように（適宜図３参照）、冷却器７は下段冷凍室５の略背部に備えられた冷却器収納室８内に設けられている。冷却器７の上方に庫内送風機９（送風機）が設けられている。冷却器７で熱交換して冷やされた空気（以下、冷却器７で熱交換した低温の空気を「冷気」という）は、庫内送風機９によって冷蔵室送風ダクト１１，符号省略の野菜室送風ダクト（図３参照），上段冷凍室送風ダクト１２，下段冷凍室送風ダクト１３及び図示しない製氷室送風ダクトを介して、冷蔵室２，野菜室６，上段冷凍室４，下段冷凍室５，製氷室３の各室へ送られる。各室への送風は冷蔵室ダンパ２０と冷凍室ダンパ５０の開閉により制御される。
【００３１】
ちなみに、冷蔵室２，製氷室３，上段冷凍室４，下段冷凍室５及び野菜室６への各送風ダクトは、図３に破線で示すように冷蔵庫１の各室の背面側に設けられている。
【００３２】
具体的には、冷蔵室ダンパ２０が開状態、冷凍室ダンパ５０が閉状態のときには、冷気は、冷蔵室送風ダクト１１を経て多段に設けられた吹き出し口２ｃから冷蔵室２に送られる。そして、冷蔵室送風ダクト１１から分岐した野菜室送風ダクト（図３参照）を経て、吹き出し口６ｃから野菜室６に送られる。
【００３３】
なお、冷蔵室２を冷却した冷気は、例えば、冷蔵室２の下面に設けられた戻り口２ｄから冷蔵室戻りダクト１６を経て、冷却器収納室８の正面から見て、例えば、右側下部に戻る。また、野菜室６からの戻り空気は、戻り口６ｄを経て、冷却器収納室８の下部に戻る。
【００３４】
冷凍室ダンパ５０が開状態のとき、冷却器７で熱交換された冷気が庫内送風機９により図示省略の製氷室送風ダクトや上段冷凍室送風ダクト１２を経て吹き出し口３ｃ，４ｃからそれぞれ製氷室３，上段冷凍室４へ送風される。
【００３５】
また、下段冷凍室送風ダクト１３を経て吹き出し口５ｃから下段冷凍室５へ送風される。この点、上記冷凍室ダンパ５０は、後述する送風機カバー５６部の上方に取り付けられ、先の、製氷室送風を容易にしている。
【００３６】
また、上段冷凍室４，下段冷凍室５，製氷室３を冷却した冷気は、下段冷凍室５の奥下方に設けられた冷凍室戻り口１７を介して、冷却器収納室８に戻る。
【００３７】
而して図４に於いて、吹き出し口３ｃ，４ｃ，５ｃを形成するのが仕切５４である。
【００３８】
この仕切５４は冷凍室４，製氷室３及び下段冷凍室５，冷却器収納室８を区画する。
【００３９】
５５は、庫内送風機９が取り付けられているファンモータ固定部である。このファンモータ固定部５５は冷却器収納室８と仕切５４間を区画している。
【００４０】
庫内送風機９はこのファンモータ固定部５５に取り付けられている。５６は送風機カバーで、上記庫内送風機９の前面を覆っている。この送風機カバー５６と仕切５４との間には下段冷凍室送風ダクト１３が形成されている。また、この送風機カバー５６の上部は、先の冷凍室ダンパ５０の吹き出し口５６ａを形成している。
【００４１】
また、この送風機カバー５６は、送風機９の前面を覆う整流部５６ｂを備える。これによって、吹き出す冷気が引き起こす乱流を整流して、騒音等の発生を防止する。
【００４２】
また、送風機カバー５６は仕切５４との間に庫内送風機９より吹き出された冷気を吹き出し口３ｃ，４ｃ，５ｃ等に導くべく、上段冷凍室送風ダクト１２、及び下段冷凍室送風ダクト１３を形成している。
【００４３】
さらに、この送風機カバー５６は庫内送風機９が吹き出す冷気を冷蔵室ダンパ２０側に送風する役目も果たしている。すなわち、送風機カバー５６部に設けられた冷凍室ダンパ５０に入らない冷気は、冷蔵室ダクト１５を経由して図４の如く冷蔵室ダンパ２０側に行く。
【００４４】
そして、冷凍温度帯室（上段冷凍室４，下段冷凍室５及び製氷室３）と、冷蔵温度帯室（冷蔵室２及び野菜室６）との両方の室に冷却器７を経た冷気を送る時には、圧倒的に冷凍室ダンパ５０側に冷気は送られるが、わずかの冷気はこの冷蔵室ダクト１５側に行くよう構成されている。
【００４５】
なお、上記の冷蔵室ダンパ２０は、図４にも示す如く冷蔵室２の後部に取り付けられているものである。
【００４６】
また、冷却器７の下方に除霜ヒータ２２が設置されており、除霜ヒータ２２の上方には、除霜水が除霜ヒータ２２に滴下することを防止するために、上部カバー５３が設けられている。
【００４７】
冷却器７及びその周辺の冷却器収納室８の壁に付着した霜の除霜（融解）によって生じた除霜水は、冷却器収納室８の下部に備えられた樋２３に流入した後に、排水管２７を介して後記する機械室１９に配された蒸発皿２１に達し、後記する凝縮器（図示せず）の熱により蒸発させられる。
【００４８】
また、冷却器７の正面から見て右上部には冷却器に取り付けられた冷却器温度センサ３５，冷蔵室２には冷蔵室温度センサ３３，下段冷凍室５には冷凍室温度センサ３４がそれぞれ備えられており、それぞれ冷却器７の温度（以下、「冷却器温度」という）、冷蔵室２の温度（以下、「冷蔵室温度」という）、下段冷凍室５の温度（以下、冷凍室温度と称する）を検知できるようになっている。
【００４９】
さらに、冷蔵庫１は、庫外の温湿度環境（外気温度，外気湿度）を検知する図示しない外気温度センサと外気湿度センサを備えている。なお、野菜室６にも野菜室温度センサ３３ａを配置しても良い。
【００５０】
断熱箱体１０の下部背面側には、機械室１９が設けられており、機械室１９には、圧縮機２４及び図示しない凝縮器が収納されており、図示しない庫外送風機により凝縮器の熱が除熱される。
【００５１】
ちなみに、本実施形態では、イソブタンを冷媒として用い、冷媒封入量は約８０ｇと少量にしている。
【００５２】
冷蔵庫１の天井壁上面側にはＣＰＵ，ＲＯＭやＲＡＭ等のメモリ，インターフェース回路等を搭載した制御基板３１が配置されている。制御基板３１は、前記した外気温度センサ，外気湿度センサ，冷却器温度センサ３５，冷蔵室温度センサ３３，冷凍室温度センサ３４，扉２ａ，２ｂ，３ａ，４ａ，５ａ，６ａの各扉の開閉状態をそれぞれ検知する前記した扉センサ，冷蔵室２内壁に設けられた図示しない温度設定器，下段冷凍室５内壁に設けられた図示しない温度設定器等と接続する。
【００５３】
そして、前記ＲＯＭに予め搭載されたプログラムにより、圧縮機２４のＯＮ／ＯＦＦや回転数の制御，冷蔵室ダンパ２０及び冷凍室ダンパ５０を個別に駆動する後述するそれぞれの駆動モータの制御，庫内送風機９のＯＮ／ＯＦＦや回転速度の制御，前記庫外送風機のＯＮ／ＯＦＦや回転速度の制御等の制御，前記した扉開放状態を報知するアラームのＯＮ／ＯＦＦ等の制御を行う。
【００５４】
次に、冷蔵室ダンパ２０が閉状態で、且つ冷凍室ダンパ５０が開状態で、冷凍温度帯室（製氷室３，上段冷凍室４及び下段冷凍室５）のみの冷却が行われている場合、製氷室３に製氷室送風ダクトを介して送風された冷気及び上段冷凍室４に上段冷凍室送風ダクト１２（図２参照）を介して送風された冷気は、下段冷凍室５に下降する。そして、下段冷凍室５に下段冷凍室送風ダクト１３（図２参照）を介して送風された冷気とともに、図４中に矢印Ｃで示す冷凍室戻り空気のように流れる。
【００５５】
すなわち、下段冷凍室５の背面下部に配された冷凍室戻り口１７を経由して冷却器収納室８の下部前方から冷却器収納室８に流入し、冷却器配管７ａに多数のフィンが取り付けられて構成された冷却器７と熱交換する。ちなみに、冷凍室戻り口１７の横幅寸法は、冷却器７の幅寸法とほぼ等しい横幅である。
【００５６】
一方、冷蔵室ダンパ２０が開状態で、且つ冷凍室ダンパ５０が閉状態で、冷蔵温度帯室（冷蔵室２及び野菜室６）のみの冷却が行われている場合、冷蔵室２からの戻り冷気は、図３中に矢印Ｄで示す冷蔵室戻り空気のように、冷蔵室戻りダクト１６を介して、冷却器収納室８の側方下部から冷却器収納室８に流入し、冷却器７と熱交換する。
【００５７】
なお、野菜室６を冷却した冷気は、図４に示す如く、野菜室戻り口６ｄ（図４参照）を介して、冷却器収納室８の下部に流入するが、風量は冷凍温度帯室を循環する風量や冷蔵室２を循環する風量に比べて少ない。
【００５８】
上記にて説明したように、冷蔵庫１内の冷気の切り替えは、冷蔵室ダンパ２０および冷凍室ダンパ５０それぞれを適宜に開閉することにより行う構成である。次に、図５から図１１を用いて、冷凍室ダンパ５０を例としてダンパの構成と動作の一例について説明する。
【００５９】
図５は、冷凍室ダンパ５０の構成の一例を示す斜視図である。図６は、図５を矢印Ｓ方向から見た図である。図７は、図５におけるＹ−Ｙ方向の断面図である。
【００６０】
冷凍室ダンパ５０は、開口６２を一面に備えた、例えば樹脂製の一体成形された横長のフレーム６３と、フレーム６３の一端（長方形状の短手部）にモータや減速歯車などの駆動系を内蔵した駆動手段６０を備え、駆動軸６１から駆動力を出力する。
【００６１】
開閉体６４は、フレーム６３の開口６２に対向して設けられており、開閉体６４の一端は駆動軸６１に軸支されており、開閉体６４の他端はフレーム６３の他端に設けられた支軸６５のまわりに回転自在に設けられている。
【００６２】
開閉体６４は、樹脂製の板状の開閉板６４ａと、開閉板６４ａの一面には、例えば発泡ウレタンや発泡ポリエチレンといった柔軟な材料で成形された緩衝部材６４ｂを備える。
【００６３】
開閉体６４は、駆動軸６１と支軸６５とを結んだ回動軸のまわりに揺動自在であり、かつ前記回動軸は開閉体６４の長手方向の一辺と沿うように略平行に、その一辺の近傍に配置されている。
【００６４】
フレーム６３の開口６２は、横長の略長方形状である。開口６２の長手方向略中央部には、該開口６２の一辺と他辺を連結して、開口６２の変形を抑制するための連結手段６２ａが設けられている。連結手段６２ａは、補強のための支柱としてはたらく。
【００６５】
なお、連結手段６２ａは、開口６２の変形を抑制するものであれば、フレーム６３と一体であっても、別体であってもよい。
【００６６】
図５から図７は、開閉体６４が閉鎖された状態を示している。開閉体６４は、閉位置においては柔軟な緩衝部材６４ｂがフレーム６３の開口６２の内周に沿って開閉体６４側に立設した接触部６６と接触する。これによって、開口６２を通して冷気が流れることを抑制する。
【００６７】
モータを回転させると、駆動軸６１を介して開閉体６４が矢印方向（図５，図７参照）におよそ９０°回動して開閉体は６４′で示した開位置となり、開位置と閉位置との間を開閉体６４が開閉動作することによって、開位置においては開口６２を冷気が通過することができ、閉位置においては冷気の流れを阻止して閉鎖する構成である。
【００６８】
次に、駆動手段６０の構成と動作の一例について図８から図１１を用いて説明する。図８から図１１は駆動手段６０を図５の矢印Ｚ方向に見た概略図である。駆動手段６０にはモータ７０を内在して、モータ７０の出力軸７１にはピニオンギヤ７２が設けられており、モータ７０の駆動とともに回転してトルクを出力する。
【００６９】
アイドラギヤ７３は、アイドラ支点７４のまわりに回動自在に軸支された減速歯車である。アイドラギヤ７３の外周には、ピニオンギヤ７２とかみ合うギヤ７３ａを備え、ピニオンギヤ７２からのトルクを減速しながら伝達する。アイドラギヤ７３の一部には部分歯車７３ｂが設けられており、例えばアイドラギヤ７３が９０°回転する範囲のみに設けられている。部分歯車７３ｂの歯車形状以外の部分には円柱状をなした円柱部７３ｃが設けられている。
【００７０】
出力ギヤ７５は駆動軸６１のまわりに回動自在に軸支され、駆動軸６１が開閉体６４と嵌合されており、開閉体６４（開閉板６４ａ，緩衝部材６４ｂ）と出力ギヤ７５とは連結されており一体として回動する。すなわち、開閉体６４は該開閉体６４の長手方向の駆動軸（開閉体６４の一端が駆動軸６１に軸支され、他端がフレーム６３の支軸６５に軸支された駆動軸）回りに駆動する。
【００７１】
出力ギヤ７５の一部には、部分歯車７５ｂが設けられ、アイドラギヤ７３の一部に設けられた部分歯車７３ｂとかみ合って、アイドラギヤ７３と連動して例えば９０°だけ回転する。出力ギヤ７５の部分歯車７５ｂを挟んで両側には円弧形状をした第一のストッパ７５ｃと第二のストッパ７５ｄとが設けられる。
【００７２】
第一のストッパ７５ｃと第二のストッパ７５ｄは、開閉体６４が開位置および閉位置においてアイドラギヤ７３の円柱部７３ｃと互いに接触する位置関係にある。出力ギヤ７５が部分歯車７５ｂのかみ合う範囲であるおよそ９０°回動することにより、出力ギヤ７５と連結された開閉体６４が回動して、その後、第一のストッパ７５ｃと第二のストッパ７５ｄがアイドラギヤ７３と接触して回動規制される。
【００７３】
次に、駆動手段６０の動作について説明する。図８においては、駆動手段６０は開閉体６４が閉鎖状態にあって、図５から図７と同様な状態を図示している。
【００７４】
アイドラギヤ７３に設けられた円柱部７３ｃは、出力ギヤ７５の第二のストッパ７５ｄと嵌合しており、開閉体６４を閉鎖状態で保持している。
【００７５】
図９は、図８の状態からモータ７０を駆動して、ピニオンギヤ７２，アイドラギヤ７３，出力ギヤ７５をそれぞれ矢印方向に回転した状態であり、出力ギヤ７５の一部である部分歯車７５ｂとアイドラギヤ７３の一部に設けられた部分歯車７３ｂとかみ合っている。出力ギヤ７５の第二のストッパ７５ｄはアイドラギヤ７３の円柱部７３ｃから離反した位置となる。
【００７６】
図１０は図９よりもさらに矢印方向に回動した位置を示している。図１１においては、およそ９０°回動して、出力ギヤ７５の一部である部分歯車７５ｂとアイドラギヤ７３の一部に設けられた部分歯車７３ｂとのかみ合いが終了して、出力ギヤ７５の第一のストッパ７５ｃはアイドラギヤ７３の円柱部７３ｃと嵌合した位置となって、開閉体６４を開放状態で保持する。開閉体６４を再度閉鎖する際には、図１１の状態から図１０，図９の状態を経由して図８の状態に至る。
【００７７】
上記のように動作することによって、冷凍室ダンパ５０は開閉体６４の開閉動作を行う。
【００７８】
先に説明したように、ダンパ装置は冷気流量を制御することから、冷気漏れをできるだけ低減することが求められる。一方、フレームやケースには開閉毎に負荷が繰り返しかかり、フレームやケースの変形が大きいと、駆動手段のトルクを効率よく開閉体に伝達できず、冷気漏れが増大するという課題があった。
【００７９】
その課題について、以下、図１２と図１３を用いてさらに詳細に説明する。図１２は従来のダンパ装置の駆動手段を示す概略図である。モータ７０，ピニオンギヤ７２，アイドラギヤ７３，出力ギヤ７５を含む駆動手段６０と、該駆動手段６０を収納するケース１００と、フレーム（図示せず）とが配置されている。
【００８０】
ダンパ装置は、駆動手段６０の位置固定及び保護のため、ケース１００をフレーム６３に締結する。図１２に示す従来のダンパ装置では、フレーム６３側にネジボス（図示せず）を設けて、ケース１００をネジ（図示せず）で締結する。具体的に、係合部（第一の係合部９０ａ，第二の係合部９０ｂ，第三の係合部９０ｃ，第四の係合部９０ｄ）はケース１００の四隅に配置されている。ダンパ装置を閉鎖するように駆動手段６０が動作した場合、アイドラ支点７４にかかる力は、図の白抜き矢印の方向となる。ここで、アイドラ支点７４にかかる力の方向は、第一の係合部９０ａ，第二の係合部９０ｂの間になる。すなわち、アイドラ支点７４に力がかかる場合、フレーム６３やケース１００が変形しやすい。ケース１００が変形してしまうと、駆動手段６０のトルクを効率よく開閉体に伝達できず、冷気漏れが増大する。
【００８１】
そこで、本実施の形態では、図１３に示すフレーム６３とケース１００の締結構成とする。具体的に、モータ７０，ピニオンギヤ７２，アイドラギヤ７３，出力ギヤ７５を含む駆動手段６０と、該駆動手段６０を収納するケース１００と、フレーム６３とが配置されている。また、駆動手段６０を固定及び保護するため、ケース１００をフレーム６３に締結する。係合手段としては、ネジ，ボルトとナット，プッシュリベット，フレーム６３とケース１００の両側に設けたツメ形状等であってもよい。
【００８２】
フレーム６３とケース（図示せず）との係合部（第一の係合部９０ｄ，第二の係合部９０ｂ，第三の係合部９０ｃ，第四の係合部９０ａ）はフレーム６３の図示位置に配置されている。すなわち、第一の係合部９０ｄ，第二の係合部９０ｂ，第三の係合部９０ｃはフレーム６３の夫々の隅部に配置され、第四の係合部９０ａは隅部に配置されない。
【００８３】
ダンパ装置を閉鎖するように駆動手段６０が動作した場合、アイドラ支点７４にかかる力は、図の白抜き矢印の方向となる。ここで、第四の係合部９０ａの位置は、アイドラ支点７４にかかる力の方向の近傍に配置されている。これにより、アイドラ支点７４に力がかかる場合、第四の係合部９０ａは補強部としての役目を果たし、フレーム６３やケース１００が変形しにくくなる。フレーム６３やケース１００が変形しにくくなると、駆動手段のトルクを効率よく開閉体に伝達することができる。よって、冷気漏れが防止でき、信頼性を向上できる。また、このダンパ装置を備えることで、省エネルギー性能を向上した冷蔵庫を提供できる。
【００８４】
以上のように、ダンパ装置のフレームやケースの強度を向上することで、確実にシールして冷気漏れを抑制して、省エネルギー性能を向上した冷蔵庫を得ることができる。
【符号の説明】
【００８５】
２ｃ，３ｃ，４ｃ，５ｃ，６ｃ，５６ａ  吹き出し口
２ｄ，６ｄ  戻り口
７  冷却器
８  冷却器収納室
９  庫内送風機（送風機）
１１  冷蔵室送風ダクト
１２  上段冷凍室送風ダクト
１３  下段冷凍室送風ダクト
１５  冷蔵室ダクト
１６  冷蔵室戻りダクト
１７  冷凍室戻り口
２０  冷蔵室ダンパ
５０  冷凍室ダンパ
５４  仕切
５５  ファンモータ固定部
５６  送風機カバー
５６ｂ  整流部
６０  駆動手段
６１  駆動軸
６２  開口
６２ａ  連結手段
６３  フレーム
６４  開閉体
６４ａ  開閉板
６４ｂ  緩衝部材
６５  支軸
６６  接触部
６７  圧接力
７０  モータ
７１  出力軸
７２  ピニオンギヤ
７３  アイドラギヤ
７３ａ  ギヤ
７３ｂ，７５ｂ  部分歯車
７３ｃ  円柱部
７４  アイドラ支点
７５  出力ギヤ
７５ｃ  第一のストッパ
７５ｄ  第二のストッパ
８１  第一の突起
８２  第二の突起
８３  規制部
８４  凹部
９０ａ  第一の係合部
９０ｂ  第二の係合部
９０ｃ  第三の係合部
９０ｄ  第四の係合部
１００  ケース
【図１】
2011058682.tif 000003
【図２】
2011058682.tif 000004
【図３】
2011058682.tif 000005
【図４】
2011058682.tif 000006
【図５】
2011058682.tif 000007
【図６】
2011058682.tif 000008
【図７】
2011058682.tif 000009
【図８】
2011058682.tif 000010
【図９】
2011058682.tif 000011
【図１０】
2011058682.tif 000012
【図１１】
2011058682.tif 000013
【図１２】
2011058682.tif 000014
【図１３】
2011058682.tif 000015